(57)【要約】【課題】  記憶媒体を再生する画像再生部と再生された画像を表示する表示部とが一体となった表示装置のスリープタイマ機能に関係する再生動作の利便性を向上させる。【解決手段】  液晶プロジェクタ１は、ＤＶＤ７に記憶されている画像を再生する再生部２と、再生部２で再生された画像を投写する投写部３を備え、設定時間が経過することで再生動作及び投写を停止するスリープタイマ機能を有し、スリープタイマの設定時間の経過により再生部２の再生動作を停止し、再生部２の停止と共に停止するＤＶＤ７の停止位置情報を再生制御部２３のメモリ２６に記憶し、再生部２は停止位置情報に対応する位置から所定の再生動作時間分だけ後戻りした位置から再生動作を開始する。【選択図】      図１
2005292707.tif 000002
【特許請求の範囲】
【請求項１】
記憶媒体に記憶されている画像を再生する再生部と、前記再生部で再生された画像を表
示する表示部とを備え、設定時間が経過することで前記再生部の再生動作及び前記表示部
の表示を停止させるスリープタイマ機能を有する表示装置であって、
前記記憶媒体の停止位置情報を記憶する記憶手段を備え、前記スリープタイマの設定時
間の経過により前記再生部の再生動作を停止し、前記再生部の再生動作の停止と共に停止
する前記記憶媒体の停止位置情報を前記記憶手段に記憶し、前記再生部は前記停止位置情
報に対応する位置から所定の再生動作時間分だけ後戻りした位置から再生動作を開始する
ことを特徴とする表示装置。
【請求項２】
請求項１に記載の表示装置において、
前記停止位置から後戻りする所定の再生動作時間は、前記スリープタイマの設定時間の
長さに応じた時間に設定されることを特徴とする表示装置。
【請求項３】
請求項１に記載の表示装置において、
前記表示部は、光源から照射された光を変調する空間光変調素子を備え、前記停止位置
から後戻りする再生動作時間を入力操作により設定する設定手段を備え、前記再生部は、
前記設定手段に設定された時間と前記光源が所定の輝度値に達する所定の再生動作時間を
加算した時間分、後戻りした位置から再生動作を開始することを特徴とする表示装置。
【請求項４】
請求項３に記載の表示装置において、
前記表示部は、前記光源に供給する電力値を制御する電力制御部を備え、前記電力制御
部は前記スリープタイマの残り時間の減少に対応して電力値を低減することを特徴とする
表示装置。
【請求項５】
請求項３又は請求項４に記載の表示装置において、
前記表示部は、前記光源を冷却する冷却ファンを備え、前記スリープタイマの設定時間
を経過後に、前記再生部の停止、前記光源の消灯、前記冷却ファンの停止の順に電源部を
制御する制御部を有することを特徴とする表示装置。
【請求項６】
請求項３乃至５の何れか一項に記載の表示装置において、
前記再生部の再生動作中に前記表示部の光源が消灯したことを検出すると、前記光源が
消灯した時点の前記記憶媒体の再生位置情報を前記記憶手段に記憶し、前記再生部は、前
記記憶手段に記憶された再生位置情報に対応する位置から、前記光源が所定の輝度値に達
する所定の再生動作時間分だけ後戻りした位置から、前記記憶手段の再生動作を開始する
ことを特徴とする表示装置。
【発明の詳細な説明】
【技術分野】
【０００１】
本発明は、スリープタイマ機能を備え、記憶媒体（記録媒体）を再生する画像再生部と
、再生された画像を表示する表示部とを備えた表示装置に関する。
【背景技術】
【０００２】
近年、各種ニーズに応じて多くの記憶媒体が開発され、データ量が多い動画像を記憶再
生する記憶媒体としては、例えばＣＤ（Compact Disc）やＤＶＤ（Digital Versatile Di
sc）が多く用いられている。特に、長編の動画像及び音声データを再生できるＤＶＤを使
用した再生装置の普及が急速に進んでいる。一方、再生装置の画像表示装置として、透過
型あるいは反射型の光変調作用を有する表示素子、およびこの表示素子に光を照射する放
電式の光源とから構成され、スクリーンに画像を投写する投写型表示装置、いわゆるプロ
ジェクタが広く知られている。
【０００３】
こうした再生装置において、利便性を考慮したさまざまな機能が提案されている。例え
ば、設定されたスリープタイマ時間をカウントするタイマ手段と、表示手段と、表示手段
の明るさを変えるディマー手段と、タイマ手段のカウント値に応じて表示手段の明るさが
変わるようにディマー手段を制御する制御手段とを備え、スリープタイマの残り時間を確
認し易くしたスリープタイマ機能を有する電子機器が知られている（例えば、特許文献１
参照）。
【０００４】
あるいは、一旦再生が中断された記憶媒体をレジューム再生するときに、再生開始場所
を探す手間を省くことが可能な記憶媒体再生装置が知られている（例えば、特許文献２参
照）。
【０００５】
【特許文献１】特開２０００−２４３０７４号公報
【特許文献２】特開２００３−４５１２２号公報
【発明の開示】
【発明が解決しようとする課題】
【０００６】
記憶媒体を再生する再生装置には再生された画像を表示する表示装置が必要不可欠であ
り、利便性の面から一体化された装置が提案され始めている。また、表示装置として大型
画面が表示できる一体化された装置が望まれている。
【０００７】
そこで、本発明は、記憶媒体を再生する画像再生部と再生された画像を表示する表示部
とが一体となった表示装置において、スリープタイマ機能に関係する再生動作の利便性を
向上させることを目的とする。
【課題を解決するための手段】
【０００８】
上記問題を解決するために、本発明の表示装置は、記憶媒体に記憶されている画像を再
生する再生部と、前記再生部で再生された画像を表示する表示部とを備え、設定時間が経
過することで前記再生部の再生動作及び前記表示部の表示を停止するスリープタイマ機能
を有する表示装置であって、前記記憶媒体の停止位置情報を記憶する記憶手段を備え、前
記スリープタイマの設定時間の経過により前記再生部の再生動作を停止し、前記再生部の
再生動作の停止と共に停止する前記記憶媒体の停止位置情報を前記記憶手段に記憶し、前
記再生部は前記停止位置情報に対応する位置から所定の再生動作時間分だけ後戻りした位
置から再生動作を開始することを特徴とする。
【０００９】
上記によれば、スリープタイマの設定時間を経過し、再生停止した記憶媒体の続きの再
生が開始された時に、停止位置情報に対応する位置から所定の再生動作時間分だけ後戻り
した位置から再生動作を開始するので、例えば映画等のストーリーを思い出すことができ
、例えば映画等の続きを効率良く鑑賞することができる。
【００１０】
また、本発明の表示装置は、前記停止位置から後戻りする所定の再生動作時間は、前記
スリープタイマの設定時間の長さに応じた時間に設定されることを特徴とする。
上記によれば、スリープタイマの時間設定が長い程、記憶媒体が後戻りする再生動作時
間が長く設定されるので、再生停止した記憶媒体の続きの再生が開始された時に、例えば
映画等のストーリーを無理なく思い出すことができる。あるいは、見落としてしまい、見
てないかもしれない場面から再生が開始されることもあり、映画等の続きを効率良く鑑賞
することができる。
【００１１】
また、本発明の表示装置は、光源からの光を変調する空間光変調素子を備え、前記停止
位置から後戻りする再生動作時間を入力操作により設定する設定手段を備え、前記再生部
は、前記設定手段に設定された時間と前記光源が所定の輝度値に達する所定の再生動作時
間を加算した時間分、後戻りした位置から再生動作を開始することを特徴とする。
【００１２】
上記によれば、光源が所定の輝度値に達する所定の再生動作時間を考慮することにより
、再生停止した記憶媒体の続きの再生が開始された時に、画像が投影されない時間帯が少
なく、見てないかもしれない場面を見落としてしまう等を抑止し、映画等の続きを効率良
く鑑賞することができる。
【００１３】
また、表示部は、前記光源に供給する電力値を制御する電力制御部を備え、電力制御部
は前記スリープタイマの残り時間の減少に対応して光源に供給する電力値を低減すること
を特徴とする。
【００１４】
上記によれば、記憶媒体の再生中に、スリープタイマの残り時間の減少に対応して光源
の電力値を低減することにより、投写される画像が経過時間の段階毎にだんだん暗くなる
ことにより、スリープタイマのおおまかな残り時間を表示される画像で知ることができる
。
【００１５】
また、表示部は、前記光源を冷却する冷却ファンを備え、前記スリープタイマの設定時
間を経過後に、前記再生部の停止、前記光源の消灯、前記冷却ファンの停止の順に電源部
を制御する制御部を有することを特徴とする。
【００１６】
上記によれば、再生部を停止し光源が消灯した時点では、光源あるいは光源周辺の温度
が、例えば数百℃の高い状態にあるため、冷却ファンを駆動し続けることで光源及び光源
の周辺を冷却して、光源の短寿命化を防止すると共に、高熱に起因する種々の不安全を防
止することができる。
【００１７】
また、前記再生部の再生動作中に前記投写部の光源が消灯したことを検出すると、前記
光源が消灯した時点の前記記憶媒体の再生位置情報を前記記憶手段に記憶し、前記再生部
は、前記記憶手段に記憶された再生位置情報に対応する位置から、前記光源が所定の輝度
値に達する所定の再生動作時間分だけ後戻りした位置から、前記記憶手段の再生動作を開
始することを特徴とする。
【００１８】
上記によれば、再生動作中に光源が劣化や破損などにより消灯（不点灯）し光源のメン
テナンス（交換）後に、再生停止した記憶媒体の続きの再生が開始された時に、再生して
いた、例えば映画等のストーリーを思い出すことができ、映画等の続きを効率良く鑑賞す
ることができる。停電による消灯に対応するためには、再生位置情報を記憶させる等の必
要な動作を行うための補助電源を有することが望ましい。
【発明を実施するための最良の形態】
【００１９】
（第１の実施形態）
以下、本発明を具現化した第１の実施形態を、図１〜図３に基づいて説明する。なお、
本実施形態では、表示装置として空間光変調素子の１種である透過型液晶パネルを用いた
プロジェクタを例に説明する。他の空間光変調素子としては、反射型液晶パネル、ＤＭＤ
（Digital Micromirror Device:米国ＴＩ社の商標）、ＧＬＶ（Grating Light Valve）等
が挙げられる。
【００２０】
プロジェクタを構成する再生部の一例として、光ディスクのＤＶＤ（Digital Versatil
e Disc）を記憶媒体とするＤＶＤ再生装置を用い、表示装置としてのプロジェクタは、よ
り詳しくは、液晶パネルと液晶パネルに光を照射する光源とから構成され、液晶パネルに
よって変調された光をスクリーンに投射して画像を表示する投射型液晶表示装置、いわゆ
る液晶プロジェクタを用いて説明する。
【００２１】
図１は、本実施形態の液晶プロジェクタの概略構成を示すブロック図である。
図１において、液晶プロジェクタ１は、記憶媒体としてのＤＶＤ７に記憶されている動
画像等を再生する再生部２と、再生部２において再生された動画像をスクリーン８などに
投写する表示部としての投写部３、電源部４、操作部５等で構成されている。
【００２２】
再生部２は、再生動作部２１、信号処理部２２、再生制御部２３、タイマ２４、タイマ
設定部２５等で構成され、投写部３は投写制御部３１、画像処理部３２、ＬＣＤ駆動回路
３３、液晶パネル３４、バラスト３５、光源としてのランプ３６、投写レンズ３７、冷却
ファン３８等で構成されている。
【００２３】
電源部４は、再生電源部４ａと投写電源部４ｂとで構成され、電源制御（電源のオフ制
御）が単独に制御可能に構成されている。なお、再生部２及び投写部３の電源スイッチ（
図示せず）は、電源スイッチが単独にオン、オフ操作される構成であっても良いが、本実
施形態は、１つの電源スイッチのオン操作により再生部２及び投写部３が同時に電源オン
するように構成されている。
操作部５は、例えば各種操作キー（図示せず）が備えられ、各キーの所定の操作により
再生部２および投写部３における各種操作を行うことができる。
【００２４】
再生動作部２１は、ＤＶＤ７の記憶読み取り部であり、ＤＶＤ７を載せて回転するスピ
ンドルモータ、ＤＶＤ７に記憶されている記憶を検出するレーザピックアップ、スピンド
ルモータとレーザピックアップを制御するサーボ制御部（いずれも図示せず）等で構成さ
れている。
【００２５】
信号処理部２２は、再生動作部２１において読み取ったアナログ信号を整形してディジ
タル信号化し、定められたルール（例えば、ＭＰＥＧ２と呼ばれる動画圧縮方式）に従っ
て復号化し、復号化された画像データを投写部３の画像処理部３２に出力する。また、信
号処理部２２は再生動作部２１の再生停止時に、ＤＶＤ７の再生停止位置データを再生制
御部２３のメモリ（ＲＡＭ）２６に入力し格納する。この再生制御部２３のメモリ２６が
記憶媒体（ＤＶＤ７）の停止位置情報を記憶する記憶手段である。
【００２６】
再生制御部２３は、スリープタイマ機能、再生戻し処理などの各種処理を実行するＣＰ
Ｕ（Central Processing Unit）と、各部を制御する制御プログラムを格納するＲＯＭと
処理等を実行する際に各種データを一時的に格納するＲＡＭ（合わせてメモリ２６として
表示する）等を備え、再生部２全体の動作を制御する。
【００２７】
タイマ２４は、所定のスリープタイマ機能及び再生動作部２１の再生戻し動作を実行す
るためのタイマであり、タイマ設定部２５のキー操作の設定内容に基づきスリープタイマ
機能などが実行される。
タイマ設定部２５は、スリープタイマ時間や再生戻し時間を設定する各種操作キーと表
示器が備えられ、各操作キーの所定の操作によりスリープタイマ時間の設定や再生戻し時
間の設定等の操作を行う。なお、タイマ設定部２５の詳細は図２に基づいて後述する。
【００２８】
投写制御部３１は、各種処理を実行するＣＰＵと、各種処理等を実行する際にデータを
一時的に格納する、あるいは処理などのアプリケーションプログラムを一時的に展開する
ＲＡＭと、各部を制御する制御プログラム等を格納するＲＯＭとを備えている。ＲＯＭに
記憶された制御プログラムや各種アプリケーションプログラムに基づいて投写部３におけ
る各種動作を実行する。なお、投写制御部３１と再生制御部２３はバスを介して電気的に
接続され、相互に電源処理信号等の入出力が行われる。
【００２９】
画像処理部３２は、信号処理部２２から入力された動画像データをバッファメモリ（図
示せず）に格納し、フレームレート変換やスケーリング処理、及びブライトネス調整、コ
ントラスト調整、ガンマ補正処理等の画像補正を行い、こうした表示用映像信号をＬＣＤ
駆動回路３３に入力する。
ＬＣＤ駆動回路３３は、画像処理部３２から入力される表示用映像信号を最終的なＲ，
Ｇ，Ｂの色信号として液晶パネル３４に供給する。
【００３０】
バラスト３５は、投写制御部３１からのランプ制御信号に基づいて、ランプ駆動電力を
光源としてのランプ３６に出力する。ランプ３６は、例えば放電式の超高圧水銀ランプか
らなり、バラスト３５から入力されるランプ駆動電力に基づいて点灯駆動する。この投写
制御部３１が光源の電力値を制御する制御部である。
冷却ファン３８は、ランプ３６の冷却用ファンであり、ランプ３６の近傍に設けられ、
投写制御部３１から冷却ファン制御信号に基づいて駆動し、ランプ３６の周囲に冷却風を
送りランプ３６の冷却を行う。
【００３１】
次に、再生部２及び投写部３の基本動作について説明する。以下の説明は、インレット
６を介して電源部４に電源電力としての例えば商用交流電源が供給されて、再生部２及び
投写部３の電源がオン状態にあるとして説明する。
【００３２】
先ず、再生動作部２１に記憶媒体としてのＤＶＤ７が挿入され、そして操作部５に備え
られた再生キーがオンされると、再生動作部２１が回転してＤＶＤ７の記憶が読み取られ
る。再生動作部２１は読み取ったアナログ信号を信号処理部２２に出力する。そして信号
処理部２２において、再生動作部２１から入力したアナログ信号を整形してディジタル信
号化し、定められたルール（例えば、ＭＰＥＧ２と呼ばれる動画圧縮方式）に従って復号
化し、復号化された画像データを投写部３の画像処理部３２に出力する。
【００３３】
画像処理部３２に入力された動画像データは、バッファメモリに格納され、フレームレ
ート変換やスケーリング処理、及びブライトネス調整、コントラスト調整、ガンマ補正処
理等の画像補正が行われて、表示用映像信号をＬＣＤ駆動回路３３に入力する。
ＬＣＤ駆動回路３３では、画像処理部３２から入力された表示用映像信号を最終的なＲ
，Ｇ，Ｂの色信号として液晶パネル３４に供給され、液晶パネル３４が駆動される。
【００３４】
一方、バラスト３５は、投写制御部３１からのランプ制御信号に基づいて、ランプ３６
の放電を安定的に継続するランプ駆動電力をランプ３６に出力し、ランプ３６が点灯駆動
される。また、冷却ファン３８は、投写制御部３１からの冷却ファン制御信号に基づいて
駆動し、ランプ３６の周囲に冷却風を送りランプ３６の冷却を行う。
【００３５】
そして、ランプ３６からの光が液晶パネル３４を透過することにより、投写レンズ３７
を介して画像がスクリーン８に投影され、ＤＶＤ７に記憶された例えば映画等の動画像を
再生して鑑賞することができる。
【００３６】
図２は、タイマ設定部２５の概略説明図である。図２に示すように、タイマ設定部２５
には各種タイマ操作を行う操作キー５１〜５４と表示器５５を備えている。操作キーは、
再生戻し時間をセット（選択）するセットキー５１、スリープタイマ時間の設定を行うた
めのセレクトキー５２とセットキー５３、スリープタイマを開始するスタートキー５４が
配置されている。なお、スリープタイマ機能は、スリープタイマを実行（開始）した時点
から一定時間（設定時間）経過すると、自動的に電源が切れる（オフされる）機能であり
、本実施形態では、再生部２と投写部３の電源（電源部４）がオフされる。
【００３７】
セットキー５１は、スリープタイマの設定時間が経過し、再生動作部２１が再生停止し
して停止したＤＶＤ７の再生停止位置から後戻りする再生動作時間（すなわち、再生戻し
時間）を設定するキーであり、プッシュ操作することで予め設定された、例えば１０秒、
３０秒、１分の３段階の再生戻し時間を順に繰り返しセット（選択）することができる。
セットされた再生戻し時間は、セットキー５１を操作してセットし直されるまで保持され
る。このセットキー５１が再生動作時間を設定する設定手段である。
【００３８】
セレクトキー５２とセットキー５３は、スリープタイマの設定時間を設定するための操
作キーであり、セレクトキー５２をプッシュ操作することで設定する時間桁と分桁を選択
し、セットキー５３をプッシュ操作することで所望のスリープタイマ時間をセットする。
スリープタイマの時間設定は、例えば１５分間隔毎に５時間迄の設定が可能である。
表示器５５は、こうした各操作キーの操作に対応して再生動作時間やスリープタイマ設
定時間を表示し、スタートキー５４がプッシュ操作されたスリープタイマの開始によりス
リープタイマの残り時間を表示する。
【００３９】
次に、スリープタイマ動作について説明する。
【００４０】
スリープタイマは、タイマ設定部２５のセレクトキー５２とセットキー５３を操作して
スリープタイマの時間設定がされ、表示器５５に設定時間が表示される。そして、スター
トキー５４がプッシュ操作されることによりスリープタイマが開始する。スタートキー５
４がプッシュ操作されることによりスリープタイマの開始信号が再生制御部２３及び投写
制御部３１に入力され、再生制御部２３を介してタイマ２４において時間カウントが行わ
れる。スリープタイマが開始されると、表示器５５に表示された設定時間がタイマ２４の
時間カウントと共に、設定時間から１分単位に減算表示してスリープタイマの作動終了ま
での時間を表示する。
【００４１】
そして、再生制御部２３は、スリープタイマを開始した時点から設定時間が経過したこ
とをタイマ２４からの信号により認知すると、電源部４の再生電源部４ａに制御信号を送
り、再生部２の電源がオフするとともに、投写制御部３１にスリープタイマの終了信号を
出力する。
【００４２】
一方、スリープタイマの終了信号が入力された投写制御部３１では、投写制御部３１か
らバラスト３５に、ランプ３６への供給電力を切断するランプ制御信号が出力され、ラン
プ３６が消灯する。そしてランプ３６が消灯して所定の時間経過の後に、投写制御部３１
から投写電源部４ｂに制御信号が送られ、投写部３の電源がオフされる。この投写部３の
電源がオフされることにより冷却ファン３８の駆動も停止する。
【００４３】
こうした電源制御は、ランプ３６が消灯した時点ではランプ３６、あるいはランプ３６
周辺の温度が、例えば数百℃の高い状態にあるため、冷却ファン３８を駆動（回転）し続
けることでランプ３６及びランプ３６の周辺を冷却して、ランプ３６の短寿命化を防止す
る。なお、ランプ３６の消灯後に投写部３の電源がオフされる所定の時間は、ランプ３６
の温度が一定温度に低下する、例えば３分に設定されている。
【００４４】
次に、再生戻し動作について説明する。再生戻し動作は、ＤＶＤ７の再生中にスリープ
タイマがセットされ、スリープタイマが終了した後に、再生停止したＤＶＤ７の続きの再
生をするために再生部２の再生が開始された場合、あるいはＤＶＤ７の再生中に投写部３
のランプ３６が、劣化や破損などにより不点灯になり、ランプのメンテナンス（交換）後
に、再生停止したＤＶＤ７の続きの再生をするために再生部２の再生が開始された場合に
行われる。
【００４５】
スリープタイマを使用した場合の再生戻し動作は、スリープタイマの時間設定がされた
後に、スタートキー５４がプッシュ操作されてスリープタイマが開始され、再生動作部２
１が再生動作中にスリープタイマの設定時間が経過し、タイマ２４において時間カウント
が終了すると、再生制御部２３は、再生動作部２１に再生停止信号を出力する。再生動作
部２１では、再生中のＤＶＤ７の再生を停止すると共に、再生停止信号を信号処理部２２
に入力する。そして、信号処理部２２では、停止されたＤＶＤ７の再生停止位置データを
再生制御部２３に出力し、再生制御部２３では、入力された再生停止位置情報をメモリ２
６の所定記憶領域に記憶する。
【００４６】
スリープタイマの終了の後に、再生の開始（再開）の操作が操作部５の所定のキー操作
により行なわれると、再生制御部２３は、そのメモリ２６に記憶されたＤＶＤ７の再生停
止位置データの位置から、セットキー５１により設定された再生戻し時間（１０秒、３０
秒、１分の３段階の内の選択された時間）分、ＤＶＤ７が後戻りする信号を再生動作部２
１に入力する。再生動作部２１は、選択された時間分だけＤＶＤ７を後戻りさせて、後戻
りした位置から再生を開始する。
【００４７】
ランプ３６が不点灯になった場合の再生戻し動作は、ランプ３６の点灯中（再生部２の
再生動作中）に、例えばランプ３６を構成する石英ガラスが熱歪により破損等が発生して
不点灯すると、バラスト３５においてランプ３６を駆動する電力の変位からランプ３６の
不点灯を検知し、ランプ３６の不点灯信号が投写制御部３１に入力される。
【００４８】
そして投写制御部３１に入力された不点灯信号を投写制御部３１から再生制御部２３に
出力し、再生制御部２３から再生動作部２１に再生停止信号が入力される。再生動作部２
１では、再生中のＤＶＤ７の再生を停止すると共に、再生停止信号を信号処理部２２に出
力する。そして、信号処理部２２では、停止されたＤＶＤ７の再生停止位置データを再生
制御部２３に出力し、再生制御部２３では、入力された再生停止位置情報をメモリ２６の
所定記憶領域に記憶される。
【００４９】
以上の再生戻し動作とランプ３６の不点灯におけるＤＶＤ７の再生停止位置の記憶及び
電源制御について、図３のフローチャートに基づいて説明する。
【００５０】
ＤＶＤ７の再生停止位置からの再生戻し時間がセットされ、スリープタイマが開始され
た状態にあるＤＶＤ７の再生中（投写部３の投写中）、図３のフローチャートで示す処理
が実行される。
【００５１】
まず、ステップＳ１では、ランプ３６が不点灯（消灯）であるか否かを判定し、不点灯
であるときにはステップＳ２に移行し、不点灯でないときにはステップＳ３に移行する。
ステップＳ２では、モード３をメモリの所定記憶領域に記憶し、次いでステップＳ１２に
移行する。
【００５２】
ステップＳ３では、スリープタイマが終了したか否かを判定し、スリープタイマが終了
してないときには前記ステップＳ１に戻り、スリープタイマが終了しているときにはステ
ップＳ４に移行する。
ステップＳ４では、セットされた再生戻し時間が１分であるか否かを判定し、セットさ
れた再生戻し時間が１分である場合はステップＳ５に移行して、モード２をメモリの所定
記憶領域に記憶し、次いでステップＳ１１に移行する。セットされた再生戻し時間が１分
でないときには、ステップＳ６に移行して、セットされた再生戻し時間が３０秒であるか
否かを判定する。
【００５３】
ステップＳ６では、セットされた再生戻し時間が３０秒である場合はステップＳ７に移
行して、モード１をメモリの所定記憶領域に記憶し、次いでステップＳ１１に移行する。
セットされた再生戻し時間が３０秒でないときには、ステップＳ８に移行する。
ステップＳ８では、モード１をメモリの所定記憶領域に記憶し、次いでステップＳ１１に
移行する。
【００５４】
そして、ステップＳ１１では、再生部２を停止し、次いでステップＳ１２で、ランプ３
６を停止し、次いでステップＳ１３で投写部３を停止する。なお、ステップＳ１３におい
て投写部３を停止することにより冷却ファン３８も停止する。
【００５５】
以上のステップＳ１〜８が、再生制御部２３において実行される再生停止位置の記憶フ
ローであり、ステップＳ１１〜１３が、再生制御部２３あるいは投写制御部３１において
実行される電源制御フローである。
【００５６】
そして、再生部２及び投写部３の電源がオンされて、操作部５の所定のキー操作により
再生部２の再生の開始（再開）の操作が行なわれると、再生制御部２３において、メモリ
に記憶されたＤＶＤ７の再生停止位置データのコマンドが再生動作部２１に入力され、再
生動作部２１は再生停止位置からＤＶＤ７を後戻り回転する。ＤＶＤ７が後戻りする信号
は、前記再生停止位置の記憶フローにおいて、モード３が記憶されている場合は５秒、モ
ード２が記憶されている場合は１分、モード１の場合は３０秒、モード０の場合は１０秒
間分だけＤＶＤ７を後戻りさせて、後戻りした位置から再生を開始する。
【００５７】
スリープタイマがセットされ、スリープタイマが終了した後、あるいはランプ３６が不
点灯になりランプの交換後に、再生部２の再生が開始された場合、ランプ３６の立ち上が
り時間（ランプが所定の輝度値に達する時間）を考慮するのが好ましい。そのために、Ｄ
ＶＤ７の再生停止位置から後戻りする再生動作時間（すなわち、再生戻し時間）は、セッ
トキー５１により設定された再生戻し時間と所定のランプ３６の立ち上がり時間とを加算
した時間、あるいはランプ３６が不点灯時の所定の再生戻し時間と所定のランプ３６の立
ち上がり時間とを加算した時間を再生戻し時間とし、その時間分だけＤＶＤ７を後戻りさ
せて、後戻りした位置から再生を開始することができる。ランプ３６の所定の立ち上がり
時間は、例えばランプ３６の安定照射時における輝度の８０％に達する時間等に設定する
。
【００５８】
以上に説明した本実施形態によれば、以下の効果が得られる。
（１）スリープタイマの設定時間を経過し、再生停止したＤＶＤ７の続きの再生が開始さ
れた時に後戻りさせてから再生するので、例えば映画等のストーリーを思い出すことがで
きる。あるいは、見てないかもしれない場面を見落としてしまう等が少なく、例えば映画
等の続きを効率良く鑑賞することができる。
【００５９】
（２）ランプ３６が不点灯（消灯）したときも、再生停止したＤＶＤ７の続きの再生が開
始された時に後戻りさせてから再生するので、例えば映画等のストーリーを思い出すこと
ができる。あるいは、見てないかもしれない場面を見落としてしまう等が少なく、例えば
映画等の続きを効率良く鑑賞することができる。
【００６０】
（３）後戻りする再生動作時間（再生戻し時間）を設定できるので、ユーザの使用環境に
応じた時間を設定することにより、例えば映画等の続きを効率良く鑑賞することができる
。
【００６１】
（４）ランプ３６が消灯した時点ではランプ３６、あるいはランプ３６周辺の温度が、例
えば数百℃の高い状態にあるため、冷却ファン３８を駆動（回転）し続けることでランプ
３６及びランプ３６の周辺を冷却して、ランプ３６の短寿命化を防止すると共に、省電力
化に貢献することができる。
【００６２】
（５）ランプ３６が所定の輝度値に達する所定の再生動作時間を考慮することにより、再
生停止したＤＶＤ７の続きの再生が開始された時に、画像が投影されない時間帯がなく、
見てないかもしれない場面を見落としてしまう等を防止し、映画等の続きを効率良く鑑賞
することができる。
（第２の実施形態）
【００６３】
再生戻し動作について別の実施形態を説明する。本実施形態は、スリープタイマの設定
時間の長さに応じて後戻りする再生動作時間（すなわち、再生戻し時間）が自動的に異な
り、スリープタイマの設定時間が長いほど長い再生戻し時間が設定される実施形態である
。ＤＶＤ７の再生停止位置の記憶フロー及び電源制御フローを、図４のフローチャートに
基づいて説明する。
【００６４】
ＤＶＤ７の再生停止位置からの再生戻し時間がセットされ、スリープタイマが開始され
た状態にあるＤＶＤ７の再生中（投写部３の投写中）、図４のフローチャートで示す処理
が実行される。
【００６５】
まず、ステップＳ２１では、スリープタイマの設定時間が３時間以上であるか否かを判
定し、３時間以上であるときには、ステップＳ２２に移行し、３時間以上でないときには
ステップＳ２３に移行する。ステップＳ２２では、モード２をメモリの所定記憶領域に記
憶してステップＳ２６に移行する。
【００６６】
ステップＳ２３では、スリープタイマの設定時間が１時間〜１時間４５分の範囲内であ
るか否かを判定し、１時間〜１時間４５分の範囲内であるときにはステップＳ２４に移行
し、１時間〜１時間４５分の範囲内でないときにはステップＳ２５に移行する。ステップ
Ｓ２４では、モード１をメモリの所定記憶領域に記憶してステップＳ２６に移行する。
【００６７】
ステップＳ２５では、モード０をメモリの所定記憶領域に記憶してステップＳ２６に移
行する。ステップＳ２６では、スリープタイマ時間が終了したか否かを判定し、終了でな
いときは再びステップＳ２１にもどる。スリープタイマ時間が終了のときはステップＳ１
１に移行する。ステップＳ１１以降は前記第１の実施形態と同様に、ステップＳ１１で再
生部２を停止し、次いでステップＳ１２でランプ３６を停止し、ステップＳ１３で投写部
３を停止する。
【００６８】
以上のステップＳ２１〜２６は再生制御部２３において実行され、ステップＳ１１〜１
３は、再生制御部２３及び投写制御部３１において実行される。
【００６９】
そして、再生部２及び投写部３の電源がオンされて、操作部５の所定のキー操作により
再生部２の再生の開始（再開）の操作が行なわれると、再生制御部２３において、メモリ
に記憶されたＤＶＤ７の再生停止位置データのコマンドが再生動作部２１に入力され、再
生動作部２１は再生停止位置からＤＶＤ７を後戻り回転する。ＤＶＤ７が後戻りする信号
は、前記再生停止位置の記憶フローにおいて、モード２が記憶されている場合は１分、モ
ード１の場合は３０秒、モード０の場合は１０秒間分だけＤＶＤ７を後戻りさせて、後戻
りした位置から再生を開始する。
【００７０】
本実施形態によれば、スリープタイマの時間設定が長い程、ＤＶＤ７が後戻りする再生
動作時間が長く設定されるので、再生停止したＤＶＤ７の続きの再生が開始された時に、
例えば映画等のストーリーを思い出すことができる。あるいは、見落としてしまい、見て
ないかもしれない場面から再生が開始されることもあり、映画等を効率良く鑑賞すること
ができる。しかも再生戻し時間が自動的に設定されるので、使い勝手の良いプロジェクタ
を得ることができる。
（第３の実施形態）
【００７１】
スリープタイマ機能の別の実施形態を説明する。本実施形態は、スリープタイマの設定
時間の経過（すなわち、スリープタイマの残り時間の減少）に対応して、液晶パネル３４
に光を投射するランプ３６の電力値を低減するスリープタイマ機能である。ＤＶＤ７の再
生停止位置の記憶フロー及び電源制御フローを、図５のフローチャートに基づいて説明す
る。
【００７２】
ＤＶＤ７の再生停止位置からの再生戻し時間がセットされ、スリープタイマが開始され
た状態にあるＤＶＤ７の再生中（投写部３の投写中）に、図５のフローチャートで示す処
理が実行される。
【００７３】
まず、ステップＳ３１では、スリープタイマ時間が終了したか否かを判定し、終了でな
いときはステップＳ３２に移行し、スリープタイマ時間が終了のときはステップＳ１１に
移行する。
【００７４】
ステップＳ３２では、スリープタイマの残り時間が４５分〜３１分の範囲内であるか否
かを判定し、４５分〜３１分の範囲内であるときにはステップＳ３３に移行し、４５分〜
３１分の範囲内でないときにはステップＳ３４に移行する。ステップＳ３３では、投写制
御部３１はバラスト３５にディマー１のランプ制御信号に切替えてステップＳ３１に戻る
。
【００７５】
ステップＳ３４では、スリープタイマの残り時間が３０分〜１６分の範囲内であるか否
かを判定し、３０分〜１６分の範囲内であるときにはステップＳ３５に移行し、３０分〜
１６分の範囲内でないときにはステップＳ３６に移行する。ステップＳ３５では、投写制
御部３１はバラスト３５にディマー２のランプ制御信号に切替えてステップＳ３１に戻る
。ステップＳ３６では、投写制御部３１はバラスト３５にディマー３のランプ制御信号に
切替えてステップＳ３１に戻る。
【００７６】
ステップＳ１１以降は前記第１及び第２の実施形態と同様に、ステップＳ１１で再生部
２を停止し、次いでステップＳ１２でランプ３６を停止し、ステップＳ１３で投写部３を
停止する。
以上のステップＳ３１〜３４は再生制御部２３において実行され、ステップＳ１１〜１
３は、再生制御部２３及び投写制御部３１において実行される。
【００７７】
投写制御部３１がバラスト３５に入力するランプ制御信号は、バラスト３５からランプ
３６への供給電力量を制御する信号であり、ディマー１には、例えば通常供給電力量の８
０％の電力量を供給し、ディマー２には、通常供給電力量の７０％、ディマー３には、通
常供給電力量の６０％の電力量を供給する。
【００７８】
本実施形態によれば、ＤＶＤ７の再生中（投写部３の投写中）に、スリープタイマの経
過時間と共にスクリーン８に投影される画像が、経過時間の段階毎にだんだん暗くなるこ
とにより、投写される画像（スクリーン８）でスリープタイマのおおまかな残り時間を知
ることができる。また、暗めの環境下で映画等の動画像を再生して鑑賞する場合に、タイ
マ設定部２５の表示器５５表示されるスリープタイマの残り時間を確認する必要がなくな
る。
【００７９】
その他の変形例を以下に記載する。
（変形例１）
【００８０】
タイマ２４及びタイマ設定部２５を、再生部２の再生制御部２３に接続して構成した場
合で説明したが、投写部３の投写制御部３１に接続された場合であっても良い。また、再
生制御部２３と投写制御部３１の二つの制御部で構成した場合で説明したが一つの制御部
で構成してもよい。
（変形例２）
【００８１】
液晶プロジェクタ１は、ＤＶＤ７に記憶されている動画像等を再生する再生部２と、再
生部２において再生された動画像をスクリーン８などに投写する投写部３とが一体的に構
成された場合で説明したが、再生装置と液晶プロジェクタとの２体に構成し、有線あるい
は無線の所定のＩ／Ｆ（インタフェイス）を各々の装置に備えた場合であってもよい。
（変形例３）
【００８２】
実施形態における、ＤＶＤ７の再生停止位置から後戻りする再生戻し時間、ランプ３６
の電力値を低減するスリープタイマの残り時間、及び再生戻し時間に対応するスリープタ
イマの設定時間等は、再生部２や投写部３の性能等を考慮して任意に決めることができる
。例えば、再生戻し時間を５分、１０分、１５分に設定することもできる。また、電力値
を低減するスリープタイマの残り時間を１０分以内（ディマー１）、５分以内（ディマー
２）、１分以内（ディマー３）としてもよい。
（変形例４）
【００８３】
第１の実施形態と第３の実施形態、第２の実施形態と第３の実施形態の組み合わせであ
ってもよい。
（変形例５）
【００８４】
第２の実施形態において、後戻りの時間を設定できるようにしてもよい。例えば、スリ
ープタイマ設定時間の１０％、５％、１％のように割合で設定をする。
（変形例６）
【００８５】
タイマ設定部２５は、メニュー画面にしてスクリーン８に投写させて、操作部５の操作
によりスリープタイマ設定時間や後戻りする再生動作時間（再生戻し時間）を設定するよ
うにしてもよい。
（変形例７）
【００８６】
前記各実施形態では、スリープタイマ設定時間、再生戻し時間、電力値を低減するスリ
ープタイマの残り時間を３段階に分けたが、これに限定されない。任意の値を設定入力で
きるようにしてもよい。
【図面の簡単な説明】
【００８７】
【図１】本実施形態の液晶プロジェクタの概略構成を示すブロック図。
【図２】タイマ設定部の概略説明図。
【図３】再生戻し動作における再生停止位置の記憶及び電源制御のフローチャート。
【図４】再生戻し動作における別の再生停止位置の記憶及び電源制御のフローチャート。
【図５】スリープタイマ機能における別の再生停止位置の記憶及び電源制御のフローチャート。
【符号の説明】
【００８８】
１…表示装置としての液晶プロジェクタ、２…再生部、３…表示部としての投写部、４
…電源部、４ａ…再生電源部、４ｂ…投写電源部、５…操作部、７…記憶媒体としてのＤ
ＶＤ、２１…再生動作部、２２…信号処理部、２３…再生制御部、２４…タイマ、２５…
タイマ設定部、２６…記憶手段としてのメモリ、３１…投写制御部、３２…画像処理部、
３３…ＬＣＤ駆動回路、３４…液晶パネル、３５…バラスト、３６…ランプ、３８…冷却
ファン、５１…セットキー、５２…セレクトキー、５３…セットキー、５４…スタートキ
ー、５５…表示器。
【図１】
2005292707.tif 000003
【図２】
2005292707.tif 000004
【図３】
2005292707.tif 000005
【図４】
2005292707.tif 000006
【図５】
2005292707.tif 000007